(57)【要約】【課題】  室内側から新設サッシ枠を既設サッシ枠内を通して室外側まで簡単に移動できるし、その新設サッシ枠を既設サッシ枠内に室内外側方向に位置決めして取付けできる改装サッシとする。【解決手段】  新設サッシ枠２０の左右方向の寸法を既設サッシ枠１０の左右開口寸法よりも小さくすることで、その新設サッシ枠２０を室内側から上下けんどん式に既設サッシ枠１０内を通して室外側まで移動できるようにし、この新設サッシ枠２０の縦枠２３の室外側部２３ａに縦アタッチメント３０を取付け、新設サッシ枠２０を室外側から室内側に向けて既設サッシ枠１０内に挿入することで縦アタッチメント３０が既設縦枠１３の室外側面１３ａに当接して室内外側方向に位置決めして取付けるようにした改装サッシ。【選択図】  図１
2005282042.tif 000002
【特許請求の範囲】
【請求項１】
建物躯体に残存した既設サッシ枠内に新設サッシ枠が取付けられた改装サッシにおいて、
前記新設サッシ枠の左右方向の寸法は既設サッシ枠の左右開口寸法よりも小さく、その新設サッシ枠を構成する新設縦枠の室外側部に縦アタッチメントが取付けてあり、
この縦アタッチメントが、既設サッシ枠を構成する既設縦枠の室外側面に当接して室内外側方向に位置決めしてあることを特徴とする改装サッシ。
【請求項２】
新設サッシ枠の内部から左右方向外側に向うビスで縦アタッチメントが取付けてある請求項１記載の改装サッシ。
【請求項３】
建物躯体に残存した既設サッシ枠の室内側から、その左右開口寸法が既設サッシ枠よりも小さい新設サッシ枠を、上下けんどん式に既設サッシ枠内を通して当該既設サッシ枠よりも室外側まで移動し、
その状態で新設サッシ枠を構成する新設縦枠の室外側部に縦アタッチメントを取付け、
この後に、新設サッシ枠を室内側に向けて既設サッシ枠内に挿入することで、前記縦アタッチメントを、既設サッシ枠を構成する既設縦枠の室外側面に当接して新設サッシ枠を室内外側方向に位置決めし、その後に新設サッシ枠を既設サッシ枠に固着するようにしたことを特徴とするサッシの改装方法。
【発明の詳細な説明】
【技術分野】
【０００１】
本発明は、建物躯体に残存した既設サッシ枠に新設サッシ枠を取付けた改装サッシ及び既設サッシ枠に新設サッシ枠を取付けて改装サッシとするサッシの改装方法に関する。
【背景技術】
【０００２】
特許文献１に改装サッシが開示されている。
この改装サッシは、建物躯体に残存した既設サッシ枠内に、新設サッシ枠が挿入され、この新設サッシ枠を構成する新設上枠、下枠、縦枠の室外側部が、既設サッシ枠を構成する既設上枠、下枠、縦枠の室外側面に当接して室内外側方向に位置決めされていると共に、新設サッシ枠が既設サッシ枠に固着してある。
【０００３】
【特許文献１】特開２００３−３２８６４５号公報
【発明の開示】
【発明が解決しようとする課題】
【０００４】
前述の従来の改装サッシは、新設上枠、下枠、縦枠の室外側部が既設上枠、下枠、縦枠の室外側部に当接しているので、その新設サッシ枠を室外側から室内側に向けて既設サッシ枠内に挿入して取付けることになる。
このために、室内側から新設サッシ枠を既設サッシ枠に取付ける場合には、新設サッシ枠を既設サッシ内を通して一度既設サッシ枠よりも室外側まで移動する必要がある。
しかし、新設サッシ枠をほぼ縦向姿勢として上下けんどん式に既設サッシ枠内に通過しようとすると、新設縦枠の室外側部が既設縦枠に干渉するので、新設サッシ枠をほぼ横向き姿勢又は対角姿勢として既設サッシ内を通過して既設サッシ枠よりも室外側まで移動しなければならず、その作業が大変面倒でやりずらい。
しかも、前述のように新設サッシ枠を室外側まで移動すると、その新設サッシ枠が既設サッシ枠よりも大きく室外側に突出し、既設サッシ枠の室外側部に面格子が取り付いている場合や隣接した建物が近接している場合等のように既設サッシ枠（建物躯体）の室外側部に広いスペースがない場合には面格子や隣接した建物と干渉し、新設サッシ枠を既設サッシ枠よりも室外側まで移動できないから、新設サッシ枠を室内側から取付けできない。
【０００５】
本発明の目的は、新設サッシ枠を室内外側方向に位置決めして取付けでき、新設サッシ枠を室内側から既設サッシ枠内を通して既設サッシ枠よりも室外側まで移動する作業が簡単で、やり易いと共に、その既設サッシ枠の室外側部に広いスペースがない場合でも既設サッシ枠よりも室外側まで移動できるようにした改装サッシ及びサッシの改装方法を提供することである。
【課題を解決するための手段】
【０００６】
本発明の改装サッシは、建物躯体に残存した既設サッシ枠内に新設サッシ枠が取付けられた改装サッシにおいて、
前記新設サッシ枠の左右方向の寸法は既設サッシ枠の左右開口寸法よりも小さく、その新設サッシ枠を構成する新設縦枠の室外側部に縦アタッチメントが取付けてあり、
この縦アタッチメントが、既設サッシ枠を構成する既設縦枠の室外側面に当接して室内外側方向に位置決めしてあることを特徴とする改装サッシである。
前記縦アタッチメントは新設サッシ枠の内部から左右方向外側に向うビスで取付けてあることが好ましい。
【０００７】
本発明のサッシの改装方法は、建物躯体に残存した既設サッシ枠の室内側から、その左右開口寸法が既設サッシ枠よりも小さい新設サッシ枠を、上下けんどん式に既設サッシ枠内を通して当該既設サッシ枠よりも室外側まで移動し、
その状態で新設サッシ枠を構成する新設縦枠の室外側部に縦アタッチメントを取付け、
この後に、新設サッシ枠を室内側に向けて既設サッシ枠内に挿入することで、前記縦アタッチメントを、既設サッシ枠を構成する既設縦枠の室外側面に当接して新設サッシ枠を室内外側方向に位置決めし、その後に新設サッシ枠を既設サッシ枠に固着するようにしたことを特徴とするサッシの改装方法である。
【発明の効果】
【０００８】
本発明によれば、新設サッシ枠に縦アタッチメントを取付けた状態で、室外側から室内側に向けて既設サッシ枠内に挿入することで、縦アタッチメントが既設縦枠の室外側面に当接し、新設サッシ枠を室内外側方向に位置決めして取付けできる。
前記縦アタッチメントを取付けしない状態の新設サッシ枠は、室内側から上下けんどん式に既設サッシ枠内を通して当該既設サッシ枠よりも室外側まで移動でき、その新設サッシ枠を移動する作業が簡単でやり易い。
よって、新設サッシ枠を室内側から簡単に取付けできる。
また、既設サッシ枠の室外側部に広いスペースがない場合でも新設サッシ枠を既設サッシ枠よりも室外側まで移動できる。
よって、既設サッシ枠の室外側に面格子があったり、隣接した建物が近接していたりして広いスペースが無い場合でも、室内側から既設サッシ枠を取付けできる。
【発明を実施するための最良の形態】
【０００９】
図１と図２に示すように、建物躯体１のサッシ取付開口部２に既設サッシ枠１０が残存している。
この既設サッシ枠１０は、既設上枠１１と既設下枠１２と左右の既設縦枠１３を方形枠組みしてある。
前記既設サッシ枠１０内に新設サッシ枠２０が挿入して取付けてある。
この新設サッシ枠２０は、新設上枠２１と新設下枠２２と左右の新設縦枠２３を方形枠組みしてある。
【００１０】
前記新設サッシ枠２０の左右方向の寸法、つまり左右の新設縦枠２３の左右方向外側部間の寸法Ｌ１は、既設サッシ枠１０の左右開口寸法、つまり左右の既設縦枠１３の左右方向内側部間の寸法Ｌ２よりも小さい。
前記左右の新設縦枠２３の室外側部２３ａに縦アタッチメント３０が取付けてある。好ましくは新設サッシ枠２０の内部から取付けできるようにしてある。
例えば、新設サッシ枠２０の内部から左右方向の外側に向けてビス３１を螺合して取付ける。
前記縦アタッチメント３０は既設縦枠１３の室外側面１３ａに当接し、新設サッシ枠２０を室内外側方向に位置決めしている。
【００１１】
このようであるから、縦アタッチメント３０を外した状態の新設サッシ枠２０を図３（ａ）、（ｂ）、（ｃ）に示すように、既設サッシ枠１０の室内側から上下けんどん式に、その既設サッシ枠１０内を通して当該既設サッシ枠１０よりも室外側まで移動できる。
しかも、新設サッシ枠２０はほぼ縦向き姿勢として既設サッシ枠１０よりも室外側まで移動するので、その既設サッシ枠１０の室外側部に面格子３が取付けられて広いスペースがない場合でも新設サッシ枠２０を既設サッシ枠１０の室内側部から、その既設サッシ枠１０内を通して当該既設サッシ枠１０よりも室外側まで移動できる。
【００１２】
そして、前述のように新設サッシ枠２０を既設サッシ枠１０よりも室外側まで移動したら、左右の新設縦枠２３の室外側部２３ａに縦アタッチメント３０を取付け、その後に新設サッシ枠２０を室外側から室内側に向けて既設サッシ枠１０内に挿入して縦アタッチメント３０を既設縦枠１３の室外側面１３ａに当接して室内側方向に位置決めする。
そして、新設サッシ枠２０を既設サッシ枠１０に固着して取付ける。
【００１３】
前述のようであるから、既設サッシ枠１０の室外側部に面格子が取付けられたり、隣接した建物が近接していたりして既設サッシ枠１０の室外側部に大きなスペースがない場合に、既設サッシ枠１０の室内側から新設サッシ枠２０を取付けできる。
つまり、既設サッシ枠１０の室外側部に新設サッシ枠２０の室内外側方向の寸法（見込み寸法）よりも若干大きなスペースがあれば新設サッシ枠２０を取付けできる。
【００１４】
前記縦アタッチメント３０の取付けを詳細に説明するが、これに限ることはない。
前記新設縦枠２３の室内外側方向の寸法は既設縦枠１３よりも大きく、後述するように新設縦枠２３を取付けると、その室外側部分が既設縦枠１３の室外側面１３ａよりも室外側に突出する。
前記縦アタッチメント３０の左右方向内側部３０ａにビス孔３２が形成され、左右方向外側部３０ｂに縦気密材３３が設けてある。前記ビス孔３２は左右方向に向いている。
前記新設縦枠２３の室外側部２３ａには孔３４と左右外面に向う外向片３５が設けてあり、縦アタッチメント３０の室内側部を外向片３５に当接すると孔３４とビス孔３２が一致するようにしてある。
このようであるから、新設サッシ枠２０の内部から縦アタッチメント３０を外向片３５に当接し、孔３４からビス３１をビス孔３２に螺合することで縦アタッチメント３０を新設サッシ枠２０の内部から簡単に取付けできる。
また、縦アタッチメント３０を既設縦枠１３の室外側面１３ａに当接すると、縦気密材３３がサッシ取付開口部２の縦内面２ａに接して既設縦枠１３の室外側部分を完全に覆い、見えないようにしている。
【００１５】
次に、新設サッシ枠２０の取付けを説明するが、この取付けに限ることはなく、任意の取付けができる。
前記既設上枠１１には上枠下地材４０が取付けてある。
この上枠下地材４０にスペーサ４１を介して新設上枠２１を接し、ビス４２で固着する。
上枠用保持部材４３の横片４３ａが新設上枠２１とスペーサ４１との間に室内側から挿入され、その横片４３ａが新設上枠２１の係合部２１ａに係合している。
前記上枠用保持部材４３の縦片（フランジ）４３ｂは、既設上枠１１の室内側部１１ａと新設上枠２１の室内側部２１ｂにビス４４でそれぞれ固着してある。
前記新設上枠２１の室外側部２１ｃに上アタッチメント４５がビス４６で取付けてある。この上アタッチメント４５が既設上枠１１の室外側面１１ｂに当接し、新設上枠２１を室内外側方向に位置決めしている。
つまり、この実施の形態では新設上枠２１の室内外側方向の寸法が既設上枠１１よりも大きく、その室外側部２１ｃが既設上枠１１の室外側面１１ｂよりも室外側に突出している。
【００１６】
前記上アタッチメント４５に上気密材４７が設けてあり、この上気密材４７がサッシ取付開口部２の上内面２ｂに接して既設上枠１１の室外側部を完全に覆って見えないようにしている。
前記上枠用保持部材４３の縦片４３ｂに上カバー４８が取付けてあり、この上カバー４８に上気密材４９を設け、その上気密材４９をサッシ取付開口部２の上内面（上額４）に接して既設上枠１１の室内側部を完全に覆って見えないようにしてある。
【００１７】
前記既設下枠１２は、室内側の横板１２ａと縦板１２ｂと室外側の横板１２ｃでほぼクランク形状で、その室外側の横板１２ｃの室内側寄りと室外側寄りにレール１４がそれぞれ設けてある。
そして、室外側寄りのレール１４を切断して除去し、室内側寄りのレール１４に取付け補助部材１５をビス１６で取付けてある。
前記新設下枠２２は、室内側の横板２２ａと縦板２２ｂと室外側の横板２２ｃでほぼクランク形状で、その室内側の横板２２ａを前記取付け補助部材１５にビス１７で固着し、新設下枠２２を既設下枠１２の上に取付けている。
前記既設下枠１２の室内側の横板１２ａに下カバー１８を取付け、既設下枠１２の室内側部分を完全に覆って見えないようにしてある。
【００１８】
前記既設縦枠１３には縦枠下地材５０が取付けてある。
この縦枠下地材５０にスペーサ５１を介して新設縦枠２３を接し、ビス５２で固着する。
縦枠用保持部材５３の横片５３ａが新設縦枠２３とスペーサ５１との間に室内側から挿入され、その横片５３ａが新設縦枠２３の係合部２３ｂに係合している。
前記縦枠用保持部材５３の縦片（フランジ）５３ｂは、既設縦枠１３の室内側部１３ｂと新設縦枠２３の室内側部２３ｃにビス５４でそれぞれ固着してある。
前記縦枠用保持部材５３の縦片５３ｂに縦カバー５５が取付けてあり、この縦カバー５５に縦気密材５６が設けてある。
この縦気密材５６がサッシ取付開口部２の縦内面（縦額５）に接し、既設縦枠１３の室内側部を完全に覆って見えないようにしてある。
【００１９】
前述の新設サッシ枠２０の取付けを図３に基づいて具体的に説明する。
新設サッシ枠２０を枠組みすると共に、その新設上枠２１に上アタッチメント４５を取付ける。
この状態で図３（ａ）に示すように、室内側から新設サッシ枠２０を垂直に対して若干傾斜した縦向き姿勢とし、その下部を既設サッシ枠１０内に落し込む。
そして、新設サッシ枠２０の上部を矢印方向に押して図３（ｂ）に示すようにほぼ垂直の縦向き姿勢として既設サッシ枠１０よりも室外側まで移動する。
ここで、既設サッシ枠１０よりも室外側まで移動するとは、新設サッシ枠２０が既設サッシ枠１０よりも完全に室外側に突出した場合でも良いし、図３（ｂ）に示すように新設上枠２１の室内側部分が既設上枠１１内に残って室外側部分のみが突出した場合でも良い。
つまり、新設縦枠２３に縦アタッチメント３０を取付けた時に、その縦アタッチメント３０が既設縦枠１３の室外側面１３ａよりも室外側に突出するようにすれば良い。
【００２０】
図３（ｂ）の状態で新設縦枠２３の室外側部分２３ａに縦アタッチメント３０を新設サッシ枠２０の内部から取付ける。
そして、新設サッシ枠２０を室外側から室内側に向けて既設サッシ枠１０内に挿入して図３（ｃ）に示すように縦アタッチメント３０を既設縦枠１３の室外側面１３ａに当接して室内外方向に位置する。
なお、図３（ｃ）においては上アタッチメント４５が既設上枠１１の室外側面１１ｂに当接した状態を図示している。
【００２１】
この後に、新設上枠２１、新設下枠２２、新設縦枠２３を前述のようにして既設上枠１１、既設下枠１２、既設縦枠１３に固着して取付ける。
なお、図３においては、縦アタッチメント３０の図示が省略してある。また各下地材、取付け補助部材を取付けない状態で新設サッシ枠２０を既設サッシ枠１０の室外側まで移動したが、それらを既設サッシ枠１０に取付けてから新設サッシ枠２０を室外側まで移動するようにしても良い。
【図面の簡単な説明】
【００２２】
【図１】改装サッシの縦断面図である。
【図２】改装サッシの横断面図である。
【図３】新設サッシ枠を既設サッシ枠よりも室外側まで移動する一例の説明図である。
【符号の説明】
【００２３】
１…建物躯体、１０…既設サッシ枠、１１…既設上枠、１２…既設下枠、１３既設縦枠、１３ａ…室外側面、２０…新設サッシ枠、２１…新設上枠、２２…新設下枠、２３…新設縦枠、２３ａ…室外側部、３０…縦アタッチメント、３１…ビス。
【図１】
2005282042.tif 000003
【図２】
2005282042.tif 000004
【図３】
2005282042.tif 000005